(57)【要約】【課題】  仰向けに寝た状態でも、ノートパソコン等の被保持体の使い勝手が良く、しかも簡単な構成で被保持体を支持することができる、スタンド装置を提供すること。【解決手段】  棒状体が折れ曲がって形成されると共に、この折れ曲がりにより、設置部位に設置された状態でユーザが寝そべった状態で入り込むことが可能な間隔部１１が設けられるフレーム部材２０と、フレーム部材２０に取り付けられると共に、被保持体としてのノートパソコン８０に接触する当接部材３０と、フレーム部材２０の側面部に対して昇降自在に取り付けられると共に、ノートパソコン８０の背面又は前面を押さえ付ける圧接部４３を有する固定手段４０と、を有している。【選択図】  図１
2004288149.tif 000002
【特許請求の範囲】
【請求項１】
棒状体が折れ曲がって形成されると共に、この折れ曲がりにより、設置部位に設置された状態でユーザが寝そべった状態で入り込むことが可能な間隔部が設けられるフレーム部材と、
上記フレーム部材に取り付けられると共に、被保持体の前面又は背面の一部に接触する当接部材と、
上記フレーム部材の側面部分に対して昇降自在に取り付けられると共に、上記被保持体の背面又は前面を押さえ付ける圧接部を有する固定手段と、
を有することを特徴とするスタンド装置。
【請求項２】
前記被保持体はノートパソコンであると共に、前記フレーム部材は、
設置部位に設置される一対の脚フレーム部と、
上記ノートパソコンのうち、キーボードの手前側と奥側に亘る方向を保持すると共に、上記脚フレーム部に対して傾斜角度が鋭角を為す状態で立設されている一対の側方フレーム部と、
前記ノートパソコンのうち、キーボードの奥側に沿う状態で該ノートパソコンを保持すると共に、上記一対の側方フレーム部の間を連結する上方フレーム部と、
を具備し、上記脚フレーム部、および上記脚フレーム部と上記側方フレーム部との間の部位は、前記間隔部でユーザが寝そべるために拡幅されていると共に、上記側方フレーム部および上記上方フレーム部のうち、上記脚フレーム部が上記鋭角を為す側とは反対側において、上記ノートパソコンを保持することを特徴とする請求項１記載のスタンド装置。
【請求項３】
前記フレーム部材には、ノートパソコンを操作するマウスを載置するマウステーブルが取り付けられることを特徴とする請求項１記載のスタンド装置。
【請求項４】
前記脚フレーム部には、中空であって前記脚フレーム部材よりも長さ寸法が大きな伸長用脚が取り付けられると共に、この伸長用脚には、該伸長用脚の長手に沿うガイドスリットが形成されていて、該ガイドスリットの一端側は開放していると共に他端側は閉塞していて、このガイドスリットを介して前記脚フレーム部が差し込まれ、前記フレーム部材を上記伸長用脚で安定的に支持することを特徴とする請求項１から３のいずれか１項に記載のスタンド装置。
【請求項５】
前記圧接部は、ネジ溝が形成されているネジ部を有すると共に、前記ノートパソコンに押し当てられる圧接板を具備し、
前記固定手段は、上記ネジ部を前記圧接部とは別体的に設けられるネジ孔へ捻じ込むことにより、前記ノートパソコンに上記圧接板を押し当てる万力部材であり、
前記フレーム部材には、前記ノートパソコンを巻回状態で保持する保持バンドが取り付けられることを特徴とする請求項１から４のいずれか１項に記載のスタンド装置。
【請求項６】
前記棒状体を金属製の中実部材とすると共に、前記傾斜角度を４５度〜７５度とすることを特徴とする請求項１から５のいずれか１項に記載のスタンド装置。
【発明の詳細な説明】
【技術分野】
【０００１】
本発明は、ノートパソコン等を保持させるためのスタンド装置に関する。
【背景技術】
【０００２】
パーソナルコンピュータの中でも、ノートブック型パーソナルコンピュータ（以下、ノートパソコンという。）は、持ち運びし易く、一般に軽量であり、また、設置スペースをさほど必要としないというメリットがある。かかるノートパソコンは、通常は机やテーブルの上に載置して使用しているが、人によっては、ベッドの上や床の上に置き、寝そべった状態で使用することがある。特に、体の不自由な人等が、ノートパソコンを使用する場合、寝そべった状態で使用されることが多い。
【０００３】
ところで、寝そべった状態でノートパソコンを使用する場合、その姿勢がうつ伏せとなることが多い。その場合、画面を見るために顔だけが前方側を向いた状態となり、首が曲がると共に背中も反り返るように曲がる。このため、長時間うつ伏せ状態でノートパソコンを使用し続けると、首や背中が徐々に辛くなり、長時間使用が困難である。
【０００４】
このような問題を解決するために、仰向けの状態でノートパソコンを使用する器具が存在する。この種の器具としては、特許文献１および特許文献２記載のものがある。このうち、特許文献１記載のものでは、スタンドにテーブルを支持させ、該テーブルにノートパソコンを保持させる。この場合、ノートパソコンに設けられているフック受溝またはタップを介して、テーブルにノートパソコンを固定している。また、特許文献２記載のものでは、別途のテーブルに、所定肉厚の一対のスタンドを設置する。一対のスタンドには、中心軸線が傾斜しているＵ字溝が形成されていて、このＵ字溝にノートパソコンを差し込んで保持さている。
【０００５】
【特許文献１】特開２０００−３１１０３１号公報（段落番号０００６、図１〜図４参照）
【特許文献２】実用新案登録第３０８６３６６号公報（要約、図１〜図３参照）
【発明の開示】
【発明が解決しようとする課題】
【０００６】
ところで、上述の特許文献１記載の構成では、ノートパソコンの側面にフック受溝やタップを形成する必要がある。このフック受溝やタップは、ノートパソコンのメーカが設置することになるが、ノートパソコンのメーカは仰向けの状態でノートパソコンを使用する人のために、わざわざフック受溝やタップを設けることはしない。このため、特許文献１記載のスタンド装置を採用するのは現実的ではない。また、特許文献１記載の構成では、スタンドを支持する台座部が存在しており、硬いと思われる台座部の上部に人が寝そべる状態となる。そのため、使用者は、台座部の部分が凸となって体に当たり、その寝心地の良さは期待できない。
【０００７】
また、特許文献２記載の構成では、別途スタンドを載置するためのテーブルを準備しなければならない。このため、結果的には大掛かりな構成となっている。また、特許文献２記載の構成では、ユーザが寝そべるベッド等の上部にテーブルを位置させるので、ユーザはベッド等とテーブルとの間の、狭い空間に寝そべる状態となる。このため、ユーザはすぐに起き上がることも困難となる等の問題も生じる。
【０００８】
さらに、上述の特許文献１および２のいずれの構成においても、マウスをどの部位に置いて使用するのか、定かではない。例えば、ベッドの上部のシーツ等は平らでなく、マウスは使用できない。また、特許文献１記載の構成では、ノートパソコンを保持するテーブルでマウスを動かすことは、テーブルが狭く困難である。また、特許文献２記載の構成では、テーブルでマウスを動かそうとしても、肘を折り曲げ、さらに手首を折り曲げた状態でマウスを使用しなければならず、その使い勝手が非常に悪い。
【０００９】
本発明は上記の事情にもとづきなされたもので、その目的とするところは、仰向けに寝た状態でも、ノートパソコン等の被保持体の使い勝手が良く、しかも簡単な構成で被保持体を支持することができる、スタンド装置を提供しよう、とするものである。
【課題を解決するための手段】
【００１０】
上記課題を解決するために、本発明のスタンド装置は、棒状体が折れ曲がって形成されると共に、この折れ曲がりにより、設置部位に設置された状態でユーザが寝そべった状態で入り込むことが可能な間隔部が設けられるフレーム部材と、フレーム部材に取り付けられると共に、被保持体の前面又は背面の一部に接触する当接部材と、フレーム部材の側面部分に対して昇降自在に取り付けられると共に、被保持体の背面又は前面を押さえ付ける圧接部を有する固定手段と、を有するものである。
【００１１】
このような構成では、被保持体は、固定手段を介してフレーム部材に保持される。この場合、フレーム部材に対して固定手段を昇降させることにより、適宜の位置で、被保持体を保持させることができる。また、被保持体は、フレーム部材に対しては、当接部材を介在させた状態で、保持される。このように被保持体を保持させた状態で、ユーザがフレーム部材により形成される間隔部に入り込んで仰向けに寝そべると、ユーザは仰向けに寝そべったまま、ノートパソコン等の被保持体を操作することができる。
【００１２】
そのため、ユーザは、寝ながら被保持体を使用するに際して、うつ伏せになる必要が無い。それによって、長時間寝たままの状態でも、首や背中が痛くならずに済み、被保持体を長時間使用することが可能となる。つまり、仰向けに寝た状態でも、被保持体の使い勝手が良くなる。また、構成をコンパクト化することができ、どのような場所でも使用することができる。さらに、ユーザが寝そべった状態から起き上がるに際して移動させやすく、起き上がり等に際して邪魔になるのを防ぐことができる。さらに、使用に際して、テーブル等の別部材を使用する必要が無い。また、台座部等の部分が、寝そべっているユーザの背中に当たることがなく、台座部等の凸となる部分がユーザの背中等にぶつかって寝心地を阻害することがない。
【００１３】
また、他の発明は、上述の発明に加えて更に、被保持体はノートパソコンであると共に、フレーム部材は、設置部位に設置される一対の脚フレーム部と、ノートパソコンのうち、キーボードの手前側と奥側に亘る方向を保持すると共に、脚フレーム部に対して傾斜角度が鋭角を為す状態で立設されている一対の側方フレーム部と、ノートパソコンのうち、キーボードの奥側に沿う状態で該ノートパソコンを保持すると共に、一対の側方フレーム部の間を連結する上方フレーム部と、を具備し、脚フレーム部、および脚フレーム部と側方フレーム部との間の部位は、間隔部でユーザが寝そべるために拡幅されていると共に、側方フレーム部および上方フレーム部のうち、脚フレーム部が鋭角を為す側とは反対側において、ノートパソコンを保持するものである。
【００１４】
このように構成した場合には、フレーム部材のうち、側方フレーム部と上方フレーム部とによって、ノートパソコンが保持される。かかる保持は、脚フレーム部に対して側方フレーム部が鋭角を為す側とは反対側において為され、ノートパソコンのキーボードが存在する面側に、側方フレーム部と上方フレーム部とが存在する状態で保持される。それによって、脚フレーム部に対して側方フレーム部が鋭角を為す側で、ノートパソコンが保持される場合と比較して、ノートパソコンを安定的に保持することが可能となる。また、側方フレーム部と比較して、脚フレーム部、および脚フレーム部と側方フレーム部との間の部位が拡幅されている。そのため、間隔部が拡幅され、ユーザはこの間隔部で良好に寝そべることができる。また、側方フレーム部および上方フレーム部は、脚フレーム部よりも狭く設けられ、ノートパソコンを良好に保持することが可能となる。
【００１５】
さらに、他の発明は、上述の各発明に加えて更に、フレーム部材には、ノートパソコンを操作するマウスを載置するマウステーブルが取り付けられるものである。このようにすると、ユーザは仰向けに寝そべった状態でも、マウス操作を行うことができる。それによって、ユーザは、仰向けに寝そべった状態で、キーボード操作のみならず、マウス操作をも行うことができる。
【００１６】
また、他の発明は、上述の各発明に加えて更に、脚フレーム部には、中空であって脚フレーム部材よりも長さ寸法が大きな伸長用脚が取り付けられると共に、この伸長用脚には、該伸長用脚の長手に沿うガイドスリットが形成されていて、該ガイドスリットの一端側は開放していると共に他端側は閉塞していて、このガイドスリットを介して脚フレーム部が差し込まれ、フレーム部材を伸長用脚で安定的に支持するものである。
【００１７】
このように構成した場合には、ガイドスリットを介して、伸長用脚の中空部分に脚フレーム部が差し込まれる。それにより、フレーム部材は、伸長用脚によって安定的に支持される。特に、ガイドスリットの差し込みの奥側の端部に、脚フレーム部のうち、側方フレーム部に向かう湾曲部分が当接する状態で差し込まれると、伸長用脚は、該湾曲部分を境界として、伸長用脚の長手方向の両方向に向かって伸長する。それによって、ノートパソコンの保持を安定化させることが可能となる。
【００１８】
さらに、他の発明は、上述の各発明に加えて更に、圧接部は、ネジ溝が形成されているネジ部を有すると共に、ノートパソコンに押し当てられる圧接板を具備し、固定手段は、ネジ部を圧接部とは別体的に設けられているネジ孔へ捻じ込むことにより、ノートパソコンに圧接板を押し当てる万力部材であり、フレーム部材には、ノートパソコンを巻回状態で保持する保持バンドが取り付けられるものである。
【００１９】
このように構成した場合には、固定手段として、万力部材を用いているので、ノートパソコンを固定する際に、ネジ孔へネジ部を捻じ込むだけで、該ノートパソコンに圧接板が押し当てられるので、ノートパソコンの保持を簡単に行える。また、保持バンドをノートパソコンに対して巻回させることができる。このようにすれば、ノートパソコンを、フレーム部材に対して一層安定的に保持させることができる。
【００２０】
また、他の発明は、上述の各発明に加えて更に、棒状体を金属製の中実部材とすると共に、傾斜角度を４５度〜７５度とするものである。このようにした場合には、棒状体を金属製の中実部材としているため、大きな強度を備える構成となる。したがって、スタンド装置を長期に亘って使用しても、形状変形を来たさずに使用することができる。また、傾斜角度を４５度〜７５度としたことにより、被保持体を側方フレーム部および上方フレーム部で良好に受け止めることができる。
【発明の効果】
【００２１】
本発明によると、仰向けに寝た状態でも、ノートパソコン等の被保持体の使い勝手が良くなる。しかも簡単な構成で被保持体を支持することができる。
【発明を実施するための最良の形態】
【００２２】
（第１の実施の形態）
以下、本発明の第１の実施の形態について、図１から図３に基づいて説明する。図１は、本発明の第１の実施の形態に係るスタンド装置１０を説明するための斜視図であり、図２は、スタンド装置１０の主要機能を説明するための拡大斜視図である。また、図３は、スタンド装置１０の使用状態を示す斜視図である。
【００２３】
スタンド装置１０は、フレーム部材２０と、被保持体としてのノートパソコンがと右折する当接部材３０と、万力部材４０と、を主要な構成要素としている。ここで、本実施の形態に係るスタンド装置１０の材料は、当接部材３０は、ゴムを材質としていると共に、それ以外の部材（フレーム部材２０、万力部材４０等）は、主として金属（例えば鉄）を材質として形成されている。しかしながら、材質はこれらに限られない。例えば、当接部材３０はゴムではなく、例えばシリコン樹脂等の各種の樹脂等、ノートパソコン８０（図３参照）の表面に損傷を与えない材質を使用可能である。また、フレーム部材２０は、金属材質以外にも、例えば木や竹等の非金属を材質としても良い。
【００２４】
フレーム部材２０は、金属の丸棒状体の折り曲げ形状を為している。フレーム部材２０は、図１に示すように、脚フレーム部２１と、この脚フレーム部２１から上方に延伸する側方フレーム部２２と、最も上方に位置する上方フレーム部２３とを有している。脚フレーム部２１および側方フレーム部２２は、夫々一対ずつ設けられていて、スタンド装置１０の中心軸線を挟んで互いに対称である。また、側方フレーム部２２は、図１に示すように、脚フレーム部２１に対しての傾斜角度αが９０度未満となるように設定されている。
【００２５】
なお、一対の脚フレーム部２１の一方側（図１においては、下方（手前）側に位置する脚フレーム２１）を脚フレーム部２１ａとし、他方側（図１においては、上方（奥）側に位置する脚フレーム２１）を脚フレーム部材２１ｂとする。両者をまとめて呼ぶ場合、単に脚フレーム部２１とする。同様に、側方フレーム部２２の一方側を側方フレーム部２２ａとし、他方側を側方フレーム部２２ｂとする。また、両者をまとめて呼ぶ場合、単に側方フレーム部２２とする。また、脚フレーム部２１ａ，２１ｂ、および側方フレーム部２２ａ，２２ｂで囲まれ、ユーザが入り込んで寝そべることが可能な空間を、間隔部１１とする。
【００２６】
また、図１、図２に示すように、側方フレーム部２２ａ，２２ｂには、夫々万力部材４０が取り付けられる。万力部材４０は、固定手段として機能し、ノートパソコン８０（図３参照）を挟持する部材である。この万力部材４０は、ワイヤクリップ部４１と、万力ステー部４２と、圧接部４３と、万力側当接部材４４と、を有している。このうち、ワイヤクリップ部４１は、側方フレーム部２２に対して昇降自在であり、かつナット４１ｅの締結によって側方フレーム部２２に対する高さ位置を固定することが可能である。
【００２７】
ワイヤクリップ部４１は、その外観が略Ｕ字を為すＵ字ボルト４１ａを有し、このＵ字ボルト４１ａの湾曲内部に、側方フレーム部２２が位置可能である。また、ワイヤクリップ部４１は、座金部４１ｂを有していて、この座金部４１ｂに形成されている孔部４１ｃに、Ｕ字ボルト４１ａが挿通される。さらに、Ｕ字ボルト４１ａの先端側には、ネジ溝４１ｄが形成されていて、このネジ溝４１ｄにナット４１ｅが螺合される。
【００２８】
また、座金部４１ｂには、Ｕ字ボルト４１ａを挟み込む状態で、上下に配置される一対の挟持部４１ｆが一体的に設けられている。各挟持部４１ｆには、２つの突起部の間に外観が略Ｕ字形状のＵ字溝４１ｇが存在していて、このＵ字溝４１ｆに側方フレーム部２２が挿通する。そして、座金部４１ｂの孔部４１ｃにＵ字ボルト４１ａを挿通させた後に、ネジ溝４１ｄにナット４１ｅを捻じ込めば、該Ｕ字ボルト４１ａの湾曲部分と、一対のＵ字溝４１ｇの湾曲部分との間で、側方フレーム部２２を安定的に挟持可能となる。
【００２９】
また、Ｕ字ボルト４１ａの２つのネジ溝４１ｄの間隔およびＵ字溝４１ｇの幅は、共に側方フレーム部２２の直径よりわずかに大きく形成され、側方フレーム部２２のどの位置にもＵ字ボルト４１ａと座金部４１ｂは取り付け可能となっている。このようにして、ワイヤクリップ部４１は、側方フレーム部２２に対し、所望の高さ位置に係止可能となる。
【００３０】
また、万力ステー部４２は、ワイヤクリップ部４１から離間する方向に延伸している。この万力ステー部４２は、本実施の形態では、その外観が略Ｌ字を為すように形成されている。なお、万力ステー部４２のうち、ワイヤクリップ部４１側の側辺には、万力側当接部材４４が取り付けられている。万力側当接部材４４は、後述する当接部材と同様に、ノートパソコン８０の側縁に当接する部分である。
【００３１】
また、万力ステー部４２のうち、ワイヤクリップ部４１から離間する幅広の他端側には、ネジ孔４２ａが設けられている。ネジ孔４２ａには、圧接部４３のネジ部４３ａが螺合されている。圧接部４３には、ネジ部４３ａと、把手部４３ｂと、圧接板４３ｃとが設けられている。このうち、ネジ部４３ａは、所定の直径を有する棒状部分の外周面に、ネジ溝４３ｄが形成されている部分である。また、把手部４３ｂは、ネジ部４３ａのうち、側方フレーム部２２から離間する他端側に設けられていて、ユーザが手で握り易いように、ネジ部４３ａに対して略直交した状態に設けられている。
【００３２】
また、圧接板４３ｃは、ネジ部４３ａのうち、側方フレーム部２２に向かう一端側に設けられている。圧接板４３ｃの外観は、側方フレーム部２２に向かう側が略円盤面となっていて、後述するように、ノートパソコン８０の裏面に良好に当接可能である。
【００３３】
また、図１、図３に示すように、側方フレーム部２２と、上方フレーム部２３とには、夫々ノートパソコン８０に直接接触する、当接部材３０が取り付けられている。なお、本実施の形態では、当接部材３０は、側方フレーム部２２に１つずつ、上方フレーム部２３に２つの計４つ設けられている。以下の説明では、上方フレーム部２３に位置している当接部材３０を当接部材３０ａとし、側方フレーム部２２に位置している当接部材３０を当接部材３０ｂとし、両者をまとめて呼ぶ場合、単に当接部材３０とする。
【００３４】
また、当接部材３０ｂは、圧接板４３ｃと対向する状態で、側方フレーム部２２に取り付けられる。それにより、圧接板４３ｃと当接部材３０ｂとで、ノートパソコン８０の下端側が支持される。また、以下の説明においては、当接部材３０を長手方向に貫く孔部を、貫通孔３１とする。さらに、本実施の形態では、当接部材３０は略円筒状に形成されているが、当接部材３０は略円筒状に限られず、略角筒状等、種々の形状を採用可能である。
【００３５】
以上のような構成を有するスタンド装置１０を使用する方法について、以下に説明する。まず、当接部材３０および万力部材４０を、フレーム部材２０の適宜の位置に夫々取り付ける。この場合、当接部材３０の貫通孔３１にフレーム部材２０の端部を差し込み、当接部材３０をフレーム部材２０に対して順次移動させてゆく。それによって、当接部材３０が、フレーム部材２０の適宜の部位に夫々位置する。また、Ｕ字ボルト４１ａの内部に側方フレーム部２２を位置させて、該Ｕ字ボルト４１ａの端部側を座金部４１ｂの孔部４１ｃに差し込む。この場合、挟持部４１ｆのＵ字溝４１ｇに側方フレーム部２２を位置させる状態で、孔部４１ｃにＵ字ボルト４１ａの端部側（ネジ溝４１ｄ側）を差し込む。
【００３６】
次に、ネジ溝４１ｄにナット４１ｅを締結方向に回転させて捻じ込み、ワイヤクリップ部４１に所定の締結力を付与させる。すると、万力部材４０は、側方フレーム部２２の所定高さ位置に係止される。なお、万力ステー部４２が側方フレーム部２２を挟んで設置部位とは反対側の部位に配置されるように、ナット４１ｅを締結する。
【００３７】
この後に、万力側当接部材４４にノートパソコン８０の側面部を位置させる。また、当接部材３０ａにノートパソコン８０のキーボード面８１の奥側を当接させると共に、当接部材３０ｂにキーボード面８１の手前側を当接させる。次に、圧接板４３ｃが側方フレーム部２２に向かうように把手部４３ｂを回転させる。それにより、圧接板４３ｃがノートパソコン８０の裏面に圧接されると共に、当接部材３０ａ，３０ｂに、夫々キーボード面８１の奥側および手前側が圧接される。それによって、ノートパソコン８０がフレーム部材２０に対して取付固定される。その後、ユーザが間隔部１１に仰向けの状態で寝そべると、ユーザは仰向けに寝そべったまま、ノートパソコン８０の画面を閲覧し、またキーボード８１ａ等を操作することができる。
【００３８】
このような構成のスタンド装置１０によれば、万力部材４０の高さ位置を調整することにより、ノートパソコン８０を、適宜の高さ位置でフレーム部材２０に対して保持させることができる。そして、かかる保持状態で、ユーザが間隔部１１に入り込んで仰向けに寝そべると、ユーザは、寝そべった状態で、ノートパソコン８０を操作することができる。そのため、ユーザはうつ伏せになる必要が無く、長時間寝たままの状態でも、首や背中が痛くならずに済み、ノートパソコン８０を長時間使用することが可能となる。つまり、仰向けに寝た状態でも、ノートパソコン８０の使い勝手が良くなる。
【００３９】
また、スタンド装置１０は、別途テーブルを必要とせず、主としてフレーム部材２０を構成要素とするため、その構成をコンパクト化することができ、どのような場所でも使用することができる。さらに、スタンド装置１０は、ユーザが寝そべった状態から起き上がるに際して移動させやすく、起き上がり等に際して邪魔になるのを防ぐことができる。また、台座部等がないため、該台座部等の部分が、寝そべっているユーザの背中に当たることがない。そのため、台座部等の凸となる部分がユーザの背中等にぶつかって寝心地を阻害することがない。
【００４０】
また、当接部材３０が介在する状態で、ノートパソコン８０をフレーム部材２０に保持させるので、ノートパソコン８０に傷が生じるのを防ぐことができる。さらに、万力部材４０を使用して、ノートパソコン８０を保持するので、操作が簡単であり、安定的にノートパソコン８０を保持させることができる。
【００４１】
さらに、フレーム部材２０の背面側において、ノートパソコン８０が保持される。そのため、ノートパソコン８０を安定的に受け止めることができる。すなわち、フレーム部材２０の背面側でノートパソコン８０を保持する場合、該ノートパソコン８０が自重によりフレーム部材２０側に向かおうとする。そのため、ノートパソコン８０をフレーム部材２０にもたれ掛けさせることができ、安定的な保持を行うことができる。
【００４２】
また、ノートパソコン８０の倒れをフレーム部材２０が受け止める構成となるので、ノートパソコン８０がユーザの顔面に倒れてくる、という危険を確実に防止できる。
【００４３】
（第２の実施の形態）
以下、本発明の第２の実施の形態に係るスタンド装置１０Ａについて、図４から図６に基づいて説明する。なお、本実施の形態においては、上述の第１の実施の形態で説明した部材と同一の部材については、同一符号を付して説明する。
【００４４】
図４は、本発明の第２の実施の形態に係るスタンド装置１０Ａの全体構成を示す斜視図であり、ノートパソコン８０を取り付ける前の状態を示す。また、図５は、スタンド装置１０Ａのうち、伸長用脚５０の一端側の構成を示す斜視図である。また、図６は、同じくスタンド装置１０Ａの全体構成を示す斜視図であり、ノートパソコン８０を取り付けた後の状態を示す。
【００４５】
図４、図６に示すように、本実施の形態でも、スタンド装置１０Ａは、フレーム部材２０を具備している。フレーム部材２０は、例えば中実の金属製のパイプを折り曲げて形成される部材である。このフレーム部材２０は、上述の脚フレーム部２１、側方フレーム部２２、および上方フレーム部２３の他に、立設フレーム部２４、拡幅フレーム部２５を有している。すなわち、フレーム部材２０は、後述する伸長用脚５０が取り付けられる脚フレーム部２１と、この脚フレーム部２１に対して所定角度傾斜した状態で延伸している、立設フレーム部２４、拡幅フレーム部２５、側方フレーム部２２および上方フレーム部２３とから構成されている。
【００４６】
なお、脚フレーム部２１、立設フレーム部２４、拡幅フレーム部２５、および側方フレーム部２２は、夫々一対ずつ設けられている。また、以下の説明では、左右の部材のいずれか一方を呼ぶときは、ａ，ｂを付して区別する。また、上方フレーム部２３は、側方フレーム部２２の上端側を結ぶように、１つだけ設けられている。脚フレーム部２１、立設フレーム部２４、拡幅フレーム部２５、側方フレーム部２２および上方フレーム部２３は、金属製の１つの丸棒材から形成されており、その直径は全て同一である。
【００４７】
一対の脚フレーム部２１の間は、ユーザが寝そべるのに、適切な間隔を保持して設置されている。この脚フレーム部２１には、伸長用脚５０が取り付けられる。伸長用脚５０は、例えば樹脂を材質とすると共に、図５に示すように、脚フレーム部２１の直径に対応した中空孔５１を有する中空部材である。この伸長用脚５０は、その両端が開放している。また、伸長用脚５０の一端部５０ａには、他端部５０ｂに向かう、所定長さのガイドスリット５２が設けられている。ガイドスリット５２は、脚フレーム部２１を差し込めるよう、その一端側が外部に対して開放している。
【００４８】
また、伸長用脚５０の両端側には、キャップ部材５３が取り付けられる。キャップ部材５３は、脚フレーム部２１を中空孔５１に差し込んだ状態で、該中空孔５１を閉塞する部材である。このキャップ部材５３が伸長用脚５０に取り付けられると、中空孔５１から脚フレーム部２１が外れ難くなる。
【００４９】
また、立設フレーム部２４は、脚フレーム部２１から上方に向かい、該脚フレーム部２１と同程度の幅を維持しながら延伸している。また、拡幅フレーム部２５は、立設フレーム部２４と側方フレーム部２２の間に位置している。この拡幅フレーム部２５は、ユーザが寝そべり易い広い幅の一対の立設フレーム部２４と、ノートパソコン８０の保持に適した狭い幅の一対の側方フレーム部２２とを連結する部分である。そのため、拡幅フレーム部２５は、スタンド装置１０Ａの正面から見ると、設置面に対して鉛直とはならず、該設置面に対して傾斜している。すなわち、立設フレーム部２４を正面から見ると（矢示Ａ方向から見ると）、接地面に対して略９０度為した状態となっているが、拡幅フレーム部２５は、正面から見た場合、接地面に対して所定の角度（例えば、１５〜７５度の角度範囲等）を為して傾斜して設けられている。
【００５０】
なお、側方フレーム部２２、および上方フレーム部２３の構成は、上述の第１の実施の形態と同様であり、その説明を省略する。また、万力部材４０Ａは、上述の第１の実施の形態と同様の構成となっているが、当該万力部材４０Ａのフレーム部材２０に対する固定を緩めたり締め付けたりするために回転させるハンドル４５を具備している。この点が、上述の第１の実施の形態の万力部材４０と異なるが、その他の点については、上述の第１の実施の形態と略同一のため、その説明を省略する。
【００５１】
また、本実施の形態では、当接部材３０は、上述の第１の実施の形態で説明したものとは異なり、ノートパソコン８０への当接状況に応じて、３種類程設けられている。かかる３種類の当接部材３０を、以下の説明では、第１の当接部材３２、第２の当接部材３３および第３の当接部材３４と区別して説明する。しかしながら、当接部材３０の種類は３種類に限られず、例えば２種類、又は４種類以上存在していても良い。
【００５２】
第１の当接部材３２は、図４、図６に示すように、長手方向の長さが、他の当接部材３３，３４よりも長く設けられている。すなわち、第１の当接部材３２は、ノートパソコン８０に対し、他の当接部材３３，３４よりも距離が長い状態で接触する。しかしながら、第１の当接部材３２は、他の当接部材３３，３４と比較して、その肉厚が最も薄肉となるように設けられている。
【００５３】
また、第２の当接部材３３は、長手方向の長さが、第１の当接部材３２より短く設けられると共に、その肉厚が３種類の当接部材３２〜３４の中では、最も大きく設けられている。すなわち、第２の当接部材３３の外径は、３種類の当接部材３２〜３４の中で最大である。第２の当接部材３３には、その長手方向に沿って、該第２の当接部材３３の全体を貫くように、スリット３３ａが形成されている。スリット３３ａは、フレーム部材２０の直径よりも幅が狭く設けられている。このスリット３３ａにフレーム部材２０をあてがって、第２の当接部材３３をフレーム部材２０に向けて押し込むと、第２の当接部材３３が弾性変形し、該第２の当接部材３３がフレーム部材２０に取り付けられる。
【００５４】
なお、第２の当接部材３３にスリット３３ａを設けない構成を採用しても良い。このように構成しても、当接部材３２〜３４が具備する挿通孔３１にフレーム部材２０の端部を差し込んで順次移動させることにより、該第２の当接部材３３をフレーム部材２０の所望の部位に位置させることが可能である。また、第１の当接部材３２および第３の当接部材３４に対しても、スリット３３ａと同様のスリットを設けるようにしても良い。
【００５５】
また、第３の当接部材３４は、長手方向の長さが、３種類の当接部材３２〜３４の中で、最も短く設けられる。これと共に、第３の当接部材３４の肉厚は、第１の当接部材３２よりも大きいが、第２の当接部材３３より小さく、その外観が略リング状となっている。
【００５６】
また、フレーム部材２０には、保持バンド６０が取り付けられる。保持バンド６０は、一方の保持バンド６１と、他方の保持バンド６２とから構成されている。これら一方の保持バンド６１と、他方の保持バンド６２とは、夫々一方側の側方フレーム２２ａまたは拡幅フレーム部２５ａ、他方側の側方フレーム部２２ｂまたは拡幅フレーム部２５ｂに巻回された状態で取り付けられている。
【００５７】
また、一方の保持バンド６１および他方の保持バンド６２は、夫々バンド部分６３ａ，６３ｂと、このバンド部分６３ａ，６３ｂの一端部に取り付けられている留め具６４ａ，６４ｂとから構成されている。このうち、一方の留め具６４ａは、単にバンド部分６３ａを巻回状態でフレーム部材２０に取り付けるためのものである。また、他方の留め具６４ｂは、バンド部分６３ｂを巻回状態でフレーム部材２０に取り付けると共に、バンド部分６３ａを差し込んで、該バンド部分６３ａを締結状態とすることを可能としている。それによって、ノートパソコン８０は、保持バンド６０によってフレーム部材２０に対して締結固定される。
【００５８】
また、本実施の形態では、フレーム部材２０に対してマウステーブル７０が取り付けられる。マウステーブル７０は、図４、図６に示すように、マウス（不図示）を載置するテーブル部７１と、このテーブル部７１の側方に位置しているワイヤクリップ部７２と、を有している。ワイヤクリップ部７２は、上述の第１の実施の形態で説明した万力部材４０のワイヤクリップ部４１と同様の構成であり、その詳細について説明を省略する。また、第２の実施の形態の万力部材４０Ａと同様の構成としても良い。また、テーブル部７１は、マウスを摺動可能なように、例えば金属製の平板状部材から構成されている。そのため、テーブル部７１においては、トラックボール式のマウスのみならず、光学式のマウスも使用可能である。
【００５９】
なお、本実施の形態のスタンド装置１０Ａの寸法について説明すると、スタンド装置１０Ａの全体の高さ寸法は約５６ｃｍ、脚フレーム部２１の長さ寸法は４０ｃｍ、側方フレーム部２２の長さ寸法は６０ｃｍ、上方フレーム部２３の長さ寸法は２０ｃｍである。また、一対の脚フレーム部２１ａ，２１ｂの間の長さ寸法は４０ｃｍである。また、伸長用脚５０の長さ寸法は、キャップ部材５３を取り付けた状態で約４５ｃｍである。さらに、脚フレーム部２１と立設フレーム部２４との間の傾斜角度角度αは、約６０度である。しかしながら、これらの寸法値、および傾斜角度αは、これに限られない。具体的には、ユーザが良好に使用することを考慮すれば、スタンド装置１０Ａの全体の高さ寸法は５０ｃｍ〜７０ｃｍ、脚フレーム部２１の長さ寸法は４０ｃｍ〜５０ｃｍ、側方フレーム部２２の長さ寸法は２０ｃｍ〜３０ｃｍ、上方フレーム部２３の長さ寸法は２０ｃｍ〜３０ｃｍ、一対の脚フレーム部２１の間の長さ寸法は４０ｃｍ〜７０ｃｍ、脚フレーム部２１と立設フレーム部２４との間の傾斜角度αは４５度〜７５度であれば、好適である。
【００６０】
以上のような構成を有するスタンド装置１０Ａを使用する方法について、以下に説明する。なお、このスタンド装置１０Ａを使用する方法の説明においても、上述の第１の実施の形態で述べたのと同様の部分については、その説明を省略する。
【００６１】
ユーザは、上述の第１の実施の形態の場合と同様にして、ノートパソコン８０を保持させる。この場合、ノートパソコン８０の種類に応じて、該ノートパソコン８０を接触させるための当接部材３２〜３４を取捨選択する。また、圧接板４３ｃをノートパソコン８０の裏面に圧接させた後に、保持バンド６０を、ノートパソコン８０の大きさに応じて、締結させる。それによって、ノートパソコン８０は、一層安定的に、フレーム部材２０に保持される状態となる。
【００６２】
また、使用に先立って、脚フレーム部２１に伸長用脚５０が取り付けられる。伸長用脚５０の取り付けに際しては、脚フレーム部２１の先端部分をガイドスリット５２を通過させ、その後に中空孔５１に差し込まれる。この場合、脚フレーム部２１と立設フレーム部２４との境界部分（湾曲部分）が、ガイドスリット５２の差し込み側の端部にぶつかる位置まで、脚フレーム部２１は差し込まれる。また、脚フレーム部２１の差し込みが終了した後に、伸長用脚５０の夫々の端部に、キャップ部材５３を被せる。それによって、脚フレーム部２１が伸長用脚５０から抜けるのが防止される。また、中空孔５１の内部にゴミ等が侵入するのが阻止される。
【００６３】
なお、図５に示すように、伸長用脚５０のうち、脚フレーム部２１と立設フレーム部２４との境界部分よりも背面側の部位を後方延伸部５４とし、脚フレーム部２１と立設フレーム部２４との境界部分よりも正面側の部位を前方延伸部５５とする。
【００６４】
また、マウステーブル７０の高さ位置を適宜の高さ位置に調整した後に、ナット（図示省略）を締結させる。それによって、マウステーブル７０が、フレーム部材２０の所望の高さ位置に取り付けられる。なお、マウステーブル７０は、ノートパソコン８０と干渉しない部位であれば、フレーム部材２０のうち、どのような部位に取り付けられても良い。図４、図６には、立設フレーム部２４にマウステーブル７０が取り付けられている状態が示されている。この状態では、仰向けに寝るユーザが手を伸ばし易い部位に、マウステーブル７０が位置していて、ユーザが使用する際の利便性に配慮している。
【００６５】
その後、ユーザは間隔部１１に仰向けの状態で寝そべる。この場合、ユーザは仰向けに寝そべったまま、ノートパソコン８０の画面を閲覧し、またキーボード８１ａ等を操作することができる。また、マウステーブル７０にて、マウスを操作可能となる。
【００６６】
このような構成のスタンド装置１０Ａによると、拡幅フレーム部２５が設けられているので、一対の側方フレーム部２２ａ，２２ｂの間よりも、一対の脚フレーム部２１ａ，２１ｂの間の幅が広くなっている。このため、間隔部１１が拡幅され、ユーザはこの間隔部１１で良好に寝そべることができる。また、側方フレーム部２２ａ，２２ｂの間の間隔は、脚フレーム部２１ａ，２１ｂの間の間隔よりも狭く設けられ、ノートパソコン８０を良好に保持することが可能となる。
【００６７】
さらに、フレーム部材２０には、マウステーブル７０が取り付けられている。このため、ユーザは仰向けに寝そべった状態でも、マウスを操作することができる。それによって、ユーザは、仰向けに寝そべった状態で、キーボード操作のみならず、マウスの操作をも行うことができ、ノートパソコン８０の使い勝手が向上する。
【００６８】
また、脚フレーム部２１には、伸長用脚５０が取り付けられている。しかも、脚フレーム部２１を伸長用脚５０に取り付ける際に、ガイドスリット５２から、脚フレーム部２１と立設フレーム部２４との境界部分（湾曲部分）が延伸する。このため、その境界部分が後方延伸部５４と前方延伸部５５との間に位置することとなり、フレーム部材２０は、伸長用脚５０によって安定的に支持される。
【００６９】
特に、ガイドスリット５２の差し込みの奥側の端部に、脚フレーム部２１のうち、立設フレーム部２４に向かう湾曲部分が当接する状態で差し込まれると、伸長用脚５０は、該湾曲部分を境界として、前方延伸部５５と、後方延伸部５４が存在する状態となる。そのため、フレーム部材２０が正面側に倒れるのが防止されるのみならず、該フレーム部材２０が背面側に倒れるのも防止される。それによって、フレーム部材２０は、一層安定的にノートパソコン８０を保持することが可能となる。なお、キャップ部材５３は、伸長用脚５０の長さを長くすることとなり、倒れ防止という点でも効果を増強させる働きがある。
【００７０】
さらに、フレーム部材２０には、ノートパソコン８０を巻回状態で保持する保持バンド６０が取り付けられている。このため、保持バンド６０をノートパソコン８０に対して巻回させることができ、ノートパソコン８０を、フレーム部材２０に対して一層安定的に保持させることができる。
【００７１】
また、フレーム部材２０は、丸棒の中実部材から構成されているので、大きな強度を有している。そのため、スタンド装置１０Ａを長期に亘って使用しても、形状変形を来たさずに使用することができる。また、パイプよりも重くなるので、安定性が向上する。しかしながら、中実部材を用いずに中空状のパイプを用いるようにしても良い。また、ワイヤクリップ部４１，７２でフレーム部材２０を挟み込んでも、該フレーム部材２０に変形を来たさない。
【００７２】
以上、本発明の第１及び第２の実施の形態について説明したが、本発明はこれ以外にも種々変形可能となっている。以下、それについて述べる。
【００７３】
上述の第２の実施の形態では、伸長用脚５０に対するフレーム部材２０の角度は、固定的である。しかしながら、伸長用脚５０に対するフレーム部材２０の角度を、可変とする構成を採用しても良い。また、上述の各実施の形態では、フレーム部材２０はその寸法が変化せず、固定的である。しかしながら、例えばフレーム部材２０の一部分に、長さを無段階で調整可能な、伸縮自在のフリーロック機構を設けるように構成しても良い。このようにすれば、ユーザがスタンド装置１０Ａを好みのサイズに調整して使用することができる。
【００７４】
また、上述の各実施の形態では、脚フレーム部２１に対する側方フレーム部２２等の角度が、固定的に設けられている。しかしながら、この角度を可変としても良い。例えば、脚フレーム部２１に対して立設フレーム部２４を、軸を中心として回動自在に設ける。これと共に、つっかえ棒の一端側を立設フレーム部２４に対して回動自在に取り付ける。そして、このつっかえ棒の他端側にピン部材を設け、このピン部材を脚フレーム部２１に形成された複数の孔部から選択的に差し込むようにする。このように構成すれば、ピン部材を差し込む孔部を選択することで、脚フレーム部２１に対する側方フレーム部２２等の角度を段階的に調整することができる。
【００７５】
また、例えば側方フレーム部２２と上方フレーム部２３との間につっかえ棒を設けるようにしても良い。この場合、例えば、上方フレーム部２３につっかえ棒の一端側を軸を中心として回動自在に取り付けると共に、つっかえ棒の他端側のピン部材を、側方フレーム部２２に形成した孔部に差し込むように構成することができる。このようにすれば、フレーム部材２０は、コンパクトに折り畳むことが可能となる。
【００７６】
また、フレーム部材２０は、複数のコーナ部分と、フレーム部分とから構成され、コーナ部分に対してフレーム部分が差し込み式となるように構成しても良い。さらに、上述の各実施の形態では、フレーム部材２０の背面側でノートパソコン８０の保持を行う構成について説明したが、フレーム部材２０の正面側でノートパソコン８０の保持を行う構成を採用しても良い。この場合には、万力部材４０，４０Ａおよび保持バンド６０の個数を増やす等して、ノートパソコン８０の保持を、一層確実に行うようにするのが好ましい。
【００７７】
また、保持バンド６０の留め具６４に、着脱式の着脱フックを設けるようにしても良い。着脱フックは、鍵部を有し例えば留め具６４ａに存在するフック体と、孔部を有し留め具６４ｂに存在するフック係合体とを備えていて、鍵部が孔部の例えば縁部に係止される。また、フック体を指で撓ませる等すれば、孔部の縁部に対する鍵部の係止が解除され、孔部からフック体を引き抜ける。このように構成すると、フック体はフック係合体に対して着脱自在となる。また、フレーム部材２０と留め具６４ａ，６４ｂとの間のバンド部分６３ａ，６３ｂの長さを自在に設定可能とすれば、一度ノートパソコン８０の締結を行い、適切な長さに調整されたバンド部分６３ａ，６３ｂの状態を維持しながら、次回の締結を行うことができる。また、保持バンド６０は、面ファスナーを利用して形成するようにしても良い。
【００７８】
さらに、フレーム部材２０の、例えば上方フレーム部２３に、ディスプレイの姿勢維持を図るためのディスプレイ保持部材の一端側を取り付けると共に、ディスプレイ保持部材の他端側をディスプレイに係止させるようにしても良い。このようにすれば、使用に際してディスプレイに揺れが生じる場合に、該ディスプレイの揺れを防ぐことができる。
【００７９】
ディスプレイの姿勢維持としては、保持バンド６０を利用してノートパソコン８０をフレーム部材２０に固く保持させた後、ノートパソコン８０の裏側に位置している保持バンド６０に、一端側を引っ掛け、他端側をディスプレイの上端側に引っ掛けるように、引っ掛け部材を利用するようにしても良い。さらに、その引っ掛け部材を保持バンド６０の一部分として形成するようにしても良い。
【産業上の利用可能性】
【００８０】
本発明のスタンド装置は、仰向けに寝ながらノートパソコンを使用するに際して最適なものとなる。また、本発明のスタンド装置は、ノートパソコン以外にも、電子楽器を演奏する場合等、日用品、福祉器具の分野等あらゆる分野において利用することができる。
【図面の簡単な説明】
【００８１】
【図１】本発明の第１の実施の形態に係るスタンド装置の構成を示す斜視図である。
【図２】図１のスタンド装置のうち、万力部材の構成を示す斜視図である。
【図３】図１のスタンド装置に対して、ノートパソコンを取り付けた状態を示す斜視図である。
【図４】本発明の第２の実施の形態に係るスタンド装置の構成を示す斜視図である。
【図５】図４のスタンド装置のうち、伸長用脚の一端側の構成を示す斜視図である。
【図６】図４のスタンド装置に対して、ノートパソコンを取り付けた状態を示す斜視図である。
【符号の説明】
【００８２】
１０，１０Ａ…スタンド装置
１１…間隔部
２０…フレーム部材
２１…脚フレーム部
２２…側方フレーム部
２３…上方フレーム部
２４…立設フレーム部
２５…拡幅フレーム部
３０…当接部材
３２…第１の当接部材
３３…第２の当接部材
３４…第３の当接部材
４０，４０Ａ…万力部材（固定手段）
４３…圧接部
４３ａ…ネジ部
４３ｃ…圧接板
５０…伸長用脚
５２…ガイドスリット
６０，６１，６２…保持バンド
７０…マウステーブル
８０…ノートパソコン
【図１】
2004288149.tif 000003
【図２】
2004288149.tif 000004
【図３】
2004288149.tif 000005
【図４】
2004288149.tif 000006
【図５】
2004288149.tif 000007
【図６】
2004288149.tif 000008